(57)【要約】【課題】施工時の作業効率が向上した照明器具を提供する。【解決手段】照明器具１０は、点灯ユニット１と、器具本体２と、を備える。点灯ユニット１は、取付部３と、第１接続部（刃部）４１１を有する第１コネクタ４とを有する。器具本体２は、点灯ユニット１が器具本体２に対して第１位置と第２位置とを結ぶ経路で移動可能であるように取付部３が取り付けられる受部７と、第１接続部４１１に機械的かつ電気的に接続される第２接続部（刃受部）８１１を有する第２コネクタ８とを有する。点灯ユニット１は、器具本体２に対して、第１位置と第２位置とを結ぶ経路で移動可能である。第１位置は、取付部３を受部７から取り外し可能であり、かつ、第１接続部４１１が第２接続部８１１に接続されていない位置である。第２位置は、取付部３を受部７から取り外せず、かつ、第１接続部４１１が第２接続部８１１と機械的かつ電気的に接続される位置である。【選択図】図１
2018116876.tif 000002
【特許請求の範囲】
【請求項１】
光源を点灯させる点灯ユニットと、前記点灯ユニットを保持する器具本体と、を備え、
前記点灯ユニットは、取付部と、第１接続部を有する第１コネクタと、前記第１コネクタに電気的に接続され前記第１コネクタを介して受け取った電力により前記光源を点灯させる点灯回路と、を有し、
前記器具本体は、前記点灯ユニットが前記器具本体に対して第１位置と第２位置とを結ぶ経路で移動可能であるように前記取付部が取り付けられる受部と、前記第１接続部に機械的かつ電気的に接続される第２接続部を有し電源との電気的接続に用いられる第２コネクタと、を有し、
前記第１位置は、前記取付部を前記受部から取り外し可能であり、かつ、前記第１接続部が前記第２接続部に接続されていない位置であり、
前記第２位置は、前記取付部を前記受部から取り外せず、かつ、前記第１接続部が前記第２接続部と機械的かつ電気的に接続される位置である、
照明器具。
【請求項２】
前記取付部は、前記経路の方向と直交する規定方向に突出する突出片を備え、
前記受部は、前記規定方向に直交しかつ前記経路の方向に交差する方向に沿って延び、一端が開放された空間である案内部と、前記案内部から前記経路の方向に沿って延びる空間である保持部と、を備え、
前記突出片は、前記案内部と前記保持部との間で移動可能であり、
前記第１位置は、前記突出片が前記案内部にある位置であり、
前記第２位置は、前記突出片が前記保持部にある位置である、
請求項１の照明器具。
【請求項３】
前記第２コネクタは、前記受部に取り付けられる、
請求項１又は２の照明器具。
【請求項４】
前記受部は、前記取付部に向かって突出する係止片を備え、
前記取付部は、弾性体を備え、
前記弾性体は、前記係止片に向かって弾性力を付与する第１状態と、先端が前記係止片に当接して前記点灯ユニットの移動を規制する第２状態と、の間で弾性変形するように構成され、
前記第１位置は、前記弾性体が前記第１状態になる位置であり、
前記第２位置は、前記弾性体が前記第２状態になる位置である、
請求項１又は２の照明器具。
【請求項５】
前記第１コネクタは、前記取付部に取り付けられる、
請求項１〜４の何れか一つの照明器具。
【請求項６】
前記第１コネクタは、複数の側壁部をさらに備え、
前記複数の側壁部のそれぞれは、前記第１接続部よりも大きく形成され、前記経路の方向と直交する所定方向に並んで配置され、
前記第１接続部は、前記所定方向において、前記複数の側壁部のうち隣り合う側壁部の間に配置される、
請求項１〜５の何れか一つの照明器具。
【請求項７】
前記第２コネクタは、電気絶縁性を有する保護部をさらに備え、
前記保護部は、前記第１位置から前記第２位置に向かう向きに開口し、前記第１接続部が挿通される開口部を有し、前記第２接続部を、前記第２接続部が前記開口部から前記保護部内に挿入された前記第１接続部と機械的かつ電気的に接続されるように収納する、
請求項１〜６の何れか一つの照明器具。
【請求項８】
前記第２接続部は、前記第２位置において、前記開口部から前記保護部内に挿入された前記第１接続部と機械的かつ電気的に接続される、
請求項７の照明器具。
【請求項９】
前記第２接続部は、前記第２位置において、前記開口部から前記保護部内に挿入された前記第１接続部を挟み込むように構成される、
請求項７又は８の照明器具。
【請求項１０】
前記点灯回路と前記第１コネクタとは、前記経路の方向に並ぶように構成され、
前記第１コネクタは、前記第１接続部と電気的に接続された第１電線接続部と、前記第１接続部及び前記第１電線接続部を保持する第１筐体と、をさらに備え、
前記第１電線接続部は、前記経路の方向において前記第１筐体における前記点灯回路側に位置し、
前記第１接続部は、前記経路の方向において前記第１筐体の前記点灯回路とは反対側に位置する、
請求項１〜９の何れか一つの照明器具。
【請求項１１】
前記器具本体は、前記受部及び前記第２コネクタを保持する基台をさらに備え、
前記基台は、前記電源と接続用の電線を通す挿通孔を有し、
前記挿通孔と前記第２コネクタとは、前記経路の方向に並び、
前記第２コネクタは、前記第２接続部に電気的に接続された第２電線接続部と、前記第２接続部及び前記第２電線接続部を保持する第２筐体と、をさらに備え、
前記第２電線接続部は、前記経路の方向において前記第２筐体における前記挿通孔側に位置し、
前記第２接続部は、前記経路の方向において前記第２筐体の前記挿通孔とは反対側に位置する、
請求項１〜１０の何れか一つの照明器具。
【発明の詳細な説明】
【技術分野】
【０００１】
本発明は、照明器具に関し、より詳細には、造営材に取り付けられる照明器具に関する。
【背景技術】
【０００２】
従来、壁、及び天井などの造営材に取り付けられている照明器具がある（例えば、特許文献１参照）。特許文献１の照明器具は、器具本体と、器具本体に着脱可能に取り付けられる光源ユニットとで構成される。器具本体は、吊りボルトに固定され、造営材の下面に取り付けられる。特許文献１の照明器具では、器具本体が造営材に取り付けられた後、電源と接続される電源線の端部が器具本体に取り付けられる端子台に接続される。そして、特許文献１の照明器具では、当該端子台のコネクタと光源ユニットに取り付けられている電源装置のコネクタとが接続される。
【先行技術文献】
【特許文献】
【０００３】
【特許文献１】特開２０１５−９５４３４号公報
【発明の概要】
【発明が解決しようとする課題】
【０００４】
ところで、特許文献１のような照明器具では、施工者は、器具本体を造営材に取り付けて、端子台のコネクタと電源装置のコネクタとを接続するために光源ユニットを器具本体に仮止めする場合があった。このように、特許文献１のような照明器具では、光源ユニットを器具本体に仮止めする作業が生じるため、施工時の作業効率が低下する場合があった。
【０００５】
本発明は、上記事由に鑑みてなされており、施工時の作業効率が向上した照明器具を提供することを目的とする。
【課題を解決するための手段】
【０００６】
本発明の一態様の照明器具は、光源を点灯させる点灯ユニットと、前記点灯ユニットを保持する器具本体とを備える。前記点灯ユニットは、取付部と、第１接続部を有する第１コネクタと、前記第１コネクタに電気的に接続され前記第１コネクタを介して受け取った電力により前記光源を点灯させる点灯回路と、を有する。前記器具本体は、前記点灯ユニットが前記器具本体に対して第１位置と第２位置とを結ぶ経路で移動可能であるように前記取付部が取り付けられる受部と、前記第１接続部に機械的かつ電気的に接続される第２接続部を有し電源との電気的接続に用いられる第２コネクタと、を有する。前記第１位置は、前記取付部を前記受部から取り外し可能な位置であり、かつ、前記第１接続部が前記第２接続部に接続されていない位置である。前記第２位置は、前記取付部を前記受部から取り外せない位置であり、かつ、前記第１接続部が前記第２接続部と機械的かつ電気的に接続される位置である。
【発明の効果】
【０００７】
本発明の態様の照明器具は、施工時の作業効率が向上するという効果を奏する。
【図面の簡単な説明】
【０００８】
【図１】図１は本発明の一実施形態に係る照明器具の分解斜視図である。
【図２】図２は上記照明器具の点灯ユニットの分解斜視図である。
【図３】図３は上記照明器具の点灯ユニットの要部の分解斜視図である。
【図４】図４は上記照明器具の取付部の斜視図である。
【図５】図５は上記照明器具の受部の斜視図である。
【図６】図６は上記照明器具の第１コネクタの分解斜視図である。
【図７】図７は上記照明器具の第１コネクタ及び第２コネクタの断面図である。
【図８】図８は上記照明器具の第２コネクタの分解斜視図である。
【図９】図９Ａは上記点灯ユニットが第１位置に位置している場合の照明器具の一部破断した断面図、図９Ｂは上記点灯ユニットが第２位置に位置している場合の照明器具の一部破断した断面図である。
【発明を実施するための形態】
【０００９】
１．実施形態
以下、本発明の一実施形態に係る照明器具１０について図面を参照にして説明する。照明器具１０は、造営材、例えば、壁及び天井などに取り付けられる。照明器具１０は、図１に示すように、点灯ユニット１と、点灯ユニット１を保持する器具本体２とを備える。なお、以下の説明で特に断りがない限り、照明器具１０の上下、左右、及び前後方向は、図１に示す、上下、左右、及び前後方向に一致する。
【００１０】
１．１  点灯ユニット
点灯ユニット１は、図１に示すように、光源ユニット１１と、一対の取付部３（３ａ，３ｂ）と、第１コネクタ４とを備える。
【００１１】
１．１．１  光源ユニット
光源ユニット１１は、図２に示すように、複数の光源モジュール５１（図２では２つ）と、支持部材５２と、カバー５３と、一対の光拡散部５４と、点灯装置５５と、一対の固定具５６と、一対の保持板５７と、外殻部６とを備える。
【００１２】
複数の光源モジュール５１のそれぞれは、複数の発光素子と、一面（実装面）に複数の発光素子が実装される実装基板５１１とを有する。複数の発光素子のそれぞれは、ＬＥＤ（Light Emitting Diode）である。
【００１３】
実装基板５１１は、長尺の矩形平板状の基板、例えば、ガラスエポキシ樹脂基板である。実装基板５１１は、実装面がカバー５３側を向くように配置される。複数の発光素子は、実装基板５１１の短手方向（前後方向）における中央部に、実装基板５１１の長手方向（左右方向）に沿って直線状に実装される。なお、実装基板５１１は、ガラスエポキシ樹脂基板に限定されず、例えば、セラミック基板、又は金属のベースプリント配線板でもよい。
【００１４】
２つの光源モジュール５１は、互いに電線などを介して電気的に直列接続されている。２つの光源モジュール５１は、点灯装置５５から複数の発光素子を点灯させる点灯電力が供給される。
【００１５】
支持部材５２は、ステンレス鋼板によって形成される。支持部材５２は、主部５２１と、一対の側面部５２２とを有する。主部５２１と一対の側面部５２２とは、一体に形成される。
【００１６】
主部５２１は、左右方向に長尺な矩形の平板状に形成される。一対の側面部５２２のそれぞれは、図２に示すように、左右方向に長尺な矩形の平板状に形成される。一対の側面部５２２は、主部５２１の短手方向（前後方向）における両端から主部５２１の長手方向に沿って、主部５２１の厚み方向に延出する。より詳細には、一対の側面部５２２は、主部５２１の短手方向の両端から離れるにつれて、互いの距離が広がるように（前後方向に互いに離れていくように）形成される。さらに、一対の側面部５２２のそれぞれの先端には、側面部５２２の長手方向（左右方向）に沿って互いに近づく向きに延出する先端部５２２ａが形成される。一対の側面部５２２のそれぞれは、長手方向の両端部に、厚み方向に貫通するねじ挿通孔５２２ｂを有する。
【００１７】
なお、支持部材５２の材料は、アルミニウム、又は銅などの金属でもよい。
【００１８】
ところで、２つの光源モジュール５１のそれぞれは、実装基板５１１が支持部材５２の主部５２１に接するように配置される。このように、支持部材５２は、２つの光源モジュール５１で発生する熱を放熱するための放熱板として利用される。
【００１９】
カバー５３は、透光性を有する樹脂（例えば、ポリカーボネート樹脂、又はアクリル樹脂）で形成される。カバー５３は、図２に示すように、左右方向に長尺な光出射部５３１と、一対の突板片５３２とを有する。光出射部５３１と一対の突板片５３２とは、一体に形成される。なお、カバー５３は、光拡散材が含有された樹脂によって形成されてもよい。
【００２０】
光出射部５３１は、半楕円筒状に形成される。言い換えると、カバー５３は、長手方向（左右方向）に直交する断面が半楕円状である。光出射部５３１は、光源モジュール５１を支持する支持部材５２の主部５２１を覆うようにして支持部材５２に保持される。なお、光出射部５３１は、表面が滑らかな曲面に形成されてもよいし、凹凸に形成されてもよい。光出射部５３１は、表面の凹凸により、複数の発光素子からの光の集光又は発散に利用することができる。また、光出射部５３１は、レンズ機能を備えていてもよい。
【００２１】
一対の突板片５３２のそれぞれは、左右方向に長尺な矩形の平板状に形成される。一対の突板片５３２は、光出射部５３１の長手方向に沿って、光出射部５３１の短手方向（前後方向）の両端から延出する。一対の突板片５３２は、光出射部５３１の短手方向の両端から離れるにつれて、互いの距離が離れるように形成される。
【００２２】
一対の光拡散部５４は、カバー５３の長手方向における両端にそれぞれ設けられる。一対の光拡散部５４のそれぞれは、図３に示すように、拡散板５４１と、連結部５４２とを有する。一対の光拡散部５４は、前後方向から見て、カバー５３の長手方向の両端においてシンメトリに配置される。拡散板５４１は、透過性及び光拡散性を有する材料、例えば、ポリカーボネート樹脂などによって、長方形の平板状に形成される。連結部５４２は、拡散板５４１の厚み方向（左右方向）に突出し、拡散板５４１との間に開口を形成する。なお、一対の光拡散部５４は、カバー５３と異なる材料で形成されてもよい。
【００２３】
点灯装置５５は、図２に示すように、支持部材５２の主部５２１の実装面と反対の面である上面に取り付けられる。点灯装置５５は、一面に開口を有する矩形の金属製の箱状のハウジング５５１を有する。ハウジング５５１は、開口が支持部材５２の主部５２１によって閉塞されるように主部５２１に取り付けられる。ハウジング５５１は、例えば、ねじ止めにより、支持部材５２の主部５２１に取り付けられる。ハウジング５５１は、内部に点灯回路５５２を収容する。点灯装置５５は、ハウジング５５１の長手方向の一端側に入力端子及び出力端子が配置されている。点灯装置５５は、第１電力ケーブルを介して後に説明する第１コネクタ４に接続される。第１電力ケーブルがハウジング５５１の入力端子と電気的に接続されることで、電源（例えば、商用交流電源）からの電力を第１コネクタ４を介して受け取ることができる。点灯装置５５の出力端子は、点灯電力を２つの光源ユニット１１に供給するために第２電力ケーブルが接続される。なお、第１電力ケーブルは、３本の電線で構成されている。
【００２４】
点灯回路５５２は、２つの光源モジュール５１に点灯電力を供給するように構成される。より詳細には、点灯回路５５２は、例えば、トランス、ダイオード、コンデンサ、スイッチング素子、及びスイッチング素子を制御するドライブＩＣ（Integrated Circuit）など、複数種の電装部品で構成される。点灯回路５５２は、これらの電装部品によって、例えば、昇圧チョッパ回路及び降圧チョッパ回路などを構成する。点灯回路５５２は、例えば、電源からの交流電力を入力端子から受け取る。そして、点灯回路５５２は、交流電力を直流電力に整流する。点灯回路５５２は、整流した直流電力（直流電圧）を昇圧及び降圧などして点灯電力に変換する。点灯回路５５２は、複数の発光素子を点灯するための点灯電力を出力端子から出力する。
【００２５】
一対の固定具５６は、図２に示すように、金属の板材、例えば、アルミ板などの材料によって形成される。一対の固定具５６のそれぞれは、図３に示すように、基底板５６１と、一対の傾斜片５６２と、立片５６３とを備える。基底板５６１と一対の傾斜片５６２と立片５６３とは、一体に形成される。基底板５６１は、長方形の平板状に形成される。基底板５６１の前後方向の中央に、左右方向に沿って厚み方向（前後方向）に貫通する一対のねじ挿通孔５６１ａが形成される。さらに、基底板５６１には、一対のねじ挿通孔５６１ａの間に、第１ケーブルが挿通される円型の挿通孔５６１ｂが形成される。一対の傾斜片５６２のそれぞれは、矩形の平板状に形成される。一対の傾斜片５６２は、基底板５６１の左右方向に沿って、基底板５６１の前後方向の両端からそれぞれ延出する。一対の傾斜片５６２は、基底板５６１から離れるにつれて、互いに離れる方向（前後方向）に延出する。立片５６３は、台形の平板状に形成される。立片５６３は、台形の中央部に、厚み方向（左右方向）に貫通するねじ挿通孔５６３ａを有する。立片５６３は、さらに、台形の平行な対辺（前後方向）に沿ってねじ挿通孔５６３ａの両側で貫通する一対の挿通孔５６３ｂと、ねじ挿通孔５６３ａよりも基底板５６１側（上側）に貫通する長孔５６３ｃとを有する。
【００２６】
一対の保持板５７は、図２に示すように、金属製の板材、例えば、アルミ板などによって形成される。一対の保持板５７は、図３に示すように、主片５７１と、側片５７２とを備える。主片５７１と側片５７２とは、一体に形成されて、Ｌ字の板状に形成される。主片５７１は矩形の板状に形成される。主片５７１の前後方向の両端には、前後方向の中央に、左右方向に沿って厚み方向（上下方向）に貫通するねじ挿通孔５７１ａ，５７１ａと、円型に形成されて上向きに突出する挿通部５７１ｂとが形成される。挿通部５７１ｂは、第１電力ケーブルを構成する３つの電線がそれぞれ挿通される３つの挿通孔５７１ｂａを有する。挿通部５７１ｂは、ねじ挿通孔５７１ａ，５７１ａの間に形成される。側片５７２は、長方形の板状に形成される。側片５７２には、前後方向の中央部に、厚み方向に貫通するねじ挿通孔５７２ａが形成される。また、側片５７２には、ねじ挿通孔５７２ａの上側に前後方向に長い長孔５７２ｂが形成される。
【００２７】
外殻部６は、左右方向に長尺な箱状に形成され、光源モジュール５１、支持部材５２、カバー５３、光拡散部５４、点灯装置５５、固定具５６、及び保持板５７を外殻部６の内部に収納する。外殻部６は、外殻本体６１と、一対の外殻端部６２と、一対のパッキン６３とを備える。外殻本体６１は、透光性の有する樹脂材料、例えば、ポリカーボネート樹脂、又はアクリル樹脂によって、角筒状に形成される。外殻本体６１は、主壁６１１と、一対の側壁６１２と、取付板６１３と、一対の副壁６１４とを備える。主壁６１１と一対の側壁６１２と取付板６１３と一対の副壁６１４とは、一体に形成される。
【００２８】
主壁６１１は、長尺な矩形の平板状に形成される。一対の側壁６１２のそれぞれは、長尺な矩形の平板状に形成される。一対の側壁６１２は、主壁６１１の長手方向（左右方向）に沿って、短手方向（前後方向）の両端に連結される。一対の副壁６１４は、一対の側壁６１２一対一に対応する。一対の副壁６１４は、対応する側壁６１２の先端から延出する。一対の副壁６１４は、一対の側壁６１２から離れるにつれて主壁６１１に近づくように形成される。言い換えると、一対の副壁６１４は、対応する側壁６１２の先端から、前後方向に互いに近づくにつれ、下方向に向かって延出する。取付板６１３は、左右方向に長尺な矩形の板状に形成される。取付板６１３は、一対の副壁６１４のそれぞれの間に、主壁６１１と上下方向において平行になるように配置される。取付板６１３には、長手方向（左右方向）の両端に、長手方向に沿って貫通する２つのねじ挿通孔６１３ａが形成される。また、取付板６１３には、円型の挿通孔６１３ｂが形成される。挿通孔６１３ｂには、保持板５７の挿通部５７１ｂが取付板６１３の上面から露出するように構成される。
【００２９】
一対の外殻端部６２は、外殻本体６１の長手方向（左右方向）の両端のそれぞれを閉塞するように設けられる。一対の外殻端部６２のそれぞれは、透光性を有する樹脂材料、例えば、ポリカーボネート樹脂、又はアクリル樹脂によって板状に形成される。一対の外殻端部６２のそれぞれの外周付近には、環状に形成されたパッキン６３が取り付けられる。つまり、一対の外殻端部６２は、対応するパッキン６３を挟んで、外殻本体６１に取り付けられる。
【００３０】
１．１．２  取付部
一対の取付部３（３ａ、３ｂ）は、点灯ユニット１を器具本体２に取り付けるために用いられる。一対の取付部３（３ａ、３ｂ）は、後で説明する器具本体２の一対の受部７から取り外し可能に取り付けられる。一対の取付部３（３ａ、３ｂ）は、図１に示すように、第１取付部３ａと第２取付部３ｂとである。第１取付部３ａは、図１における取付板６１３の左端側に取り付けられる。また、第２取付部３ｂは、図１における取付板６１３の右端側に取り付けられる。
【００３１】
最初に、第１取付部３ａ及び第２取付部３ｂに共通した構成について説明する。なお、以下の説明において、第１取付部３ａ及び第２取付部３ｂに関して共通の説明をする場合は、取付部３として説明する。
【００３２】
取付部３は、金属板、例えば、アルミ板、又はステンレス鋼板によって形成される。取付部３は、図４に示すように、底壁片３１と、一対の側壁片３２とを備える。取付部３の底壁片３１は、左右方向に長尺な平板状に形成される。取付部３の底壁片３１は、長手方向に沿って厚み方向（上下方向）に貫通する一対のねじ挿通孔３１１を有する。取付部３の一対の側壁片３２は、底壁片３１の短手方向（前後方向）の両端から長手方向に沿って延出する。取付部３の一対の側壁片３２のそれぞれは、底壁片３１の厚み方向（上下方向）に延出する。一対の側壁片３２の外面のそれぞれには、突出片３２１が形成される。一対の突出片３２１は、側壁片３２から離れる方向に突出している。言い換えると、一対の突出片３２１は、経路の方向（左右方向）と直交する規定方向（前後方向）に突出する。なお、一対の突出片３２１は、互いの突出量が異なるように形成されてもよい。
【００３３】
次に、第１取付部３ａと第２取付部３ｂとで異なる構成について説明する。
【００３４】
第１取付部３ａは、第１コネクタ４が取り付けられる。第１コネクタ４は、第１取付部３ａの底壁片３１の上面にねじなどを用いて固定される。第１取付部３ａは、挿通孔３１２と、延出片３３ａとを備える。挿通孔３１２には、第１コネクタ４に接続された第１電力ケーブルが挿通される。より詳細には、第１電力ケーブルを構成する３つの電線のそれぞれは、第１コネクタ４と第１取付部３ａの底壁片３１との間の隙間を介して、挿通孔３１２に挿通される。第１取付部３ａにおいて、底壁片３１と一対の側壁片３２と延出片３３ａとは、一体に形成される。第１取付部３ａの延出片３３ａは、矩形の平板状に形成される。延出片３３ａは、底壁片３１の右端から、右向きに延出する。延出片３３ａには、厚み方向（上下方向）に貫通する挿通孔３３１が形成される。
【００３５】
第２取付部３ｂは、延出片３３ｂと、弾性体３４とをさらに備える。第２取付部３ｂにおいて、底壁片３１と一対の側壁片３２と延出片３３ｂとは、一体に形成される。第２取付部３ｂの延出片３３ｂは、矩形の平板状に形成される。延出片３３ｂは、底壁片３１の右端から底壁片３１の厚み方向（上向き）に延出する。延出片３３ｂには、厚み方向（左右方向）に貫通する挿通孔３３１が形成される。
【００３６】
弾性体３４は、金属の板材、例えばアルミ板、又はステンレス鋼板によって形成される。弾性体３４は、取付片３４１と、ばね片３４２と、抑止片３４３とを備える。取付片３４１とばね片３４２と抑止片３４３とは、一体に形成される。取付片３４１は、矩形の平板状に形成される。取付片３４１には、厚み方向（上下方向）に貫通する挿通孔３４１ａが形成される。取付片３４１は、一端（左端）にばね片３４２が連結される。ばね片３４２は、矩形の平板状に形成される。ばね片３４２は、取付片３４１から離れるにつれて、取付片３４１の厚み方向（上向き）に延出する。弾性体３４のばね片３４２は、上側から押圧されると、底壁片３１から離れる向き（上向き）に弾性力を付与する。抑止片３４３は、ばね片３４２の先端に連結される。抑止片３４３の先端は、底壁片３１に向かって（下向き）折れ曲がるようにして形成される。弾性体３４は、取付片３４１に設けられる挿通孔３４１ａにねじが挿通されることで、底壁片３１を介して固定具５６に固定される。
【００３７】
１．２  器具本体
器具本体２は、図１に示すように、基台２１と、一対の受部７（７ａ，７ｂ）と、第２コネクタ８とを備える。
【００３８】
１．２．１  基台
基台２１は、図１に示すように、底壁２１１と、一対の側壁部２１２とを有する。底壁２１１と一対の側壁部２１２とは、ステンレス鋼板などの金属板が曲げ加工されることで一体に形成される。
【００３９】
底壁２１１は、左右方向に長尺な矩形の平板状に形成される。底壁２１１は、長手方向の中央部に、厚み方向（上下方向）に貫通する挿通孔２１１ａを備える。挿通孔２１１ａには、一端が電源などに電気的に接続されている電源線（電源と接続用の電線）が挿入される。電源線は、３つの電線で構成される。底壁２１１は、さらに、長手方向の両端部に２つのボルト挿通孔２１１ｂを備える。２つのボルト挿通孔２１１ｂには、造営材に固定するボルトが挿通される。また、底壁２１１は、長手方向の両端部のそれぞれは、短手方向（前後方向）に並んで厚み方向に貫通する一対の差込孔２１１ｃを有する。
【００４０】
一対の側壁部２１２は、底壁２１１の短手方向の両端に、底壁２１１の長手方向に沿って連結される。一対の側壁部２１２は、底壁２１１の長手方向と直交する断面視がＵ字状に形成される。
【００４１】
１．２．２  受部
一対の受部７（７ａ，７ｂ）は、金属の板状、例えば、アルミ板、又はステンレス鋼板などによって形成される。一対の受部７（７ａ，７ｂ）は、基台２１の長手方向（左右方向）の両端の下面に取り付けられる。一対の受部７（７ａ，７ｂ）は、第１取付部３ａに対応する第１受部７ａと第２取付部３ｂに対応する第２受部７ｂとである。第１受部７ａには、図１に示すように、第２コネクタ８が取り付けられる。言い換えると、一対の受部７のうち、図１における左側の受部７ａには、第２コネクタ８が取り付けられる。つまり、第２コネクタ８が取り付けられる受部７ａは、第１取付部３ａに対応する。第２受部７ｂは、図１における右側に第２取付部３ｂに対応する。なお、以下の説明において、第１受部７ａ及び第２受部７ｂに関して共通の説明をする場合は、受部７として説明する。
【００４２】
一対の受部７のそれぞれは、図５に示すように、基底部７１と、一対の差込片７２と、係止片７３と、一対の側立部７４と、一対の案内部７５と、一対の保持部７６とを備える。
【００４３】
基底部７１は、長方形の板状に形成される。基底部７１は、長手方向（左右方向）に沿って並び、基底部７１を厚み方向（上下方向）に貫通する３つのねじ挿通孔７１１を有する。基底部７１は、長手方向の右端に、長手方向に沿って突出する一対の差込片７２が形成される。一対の差込片７２は、基底部７１の短手方向（前後方向）の両端に形成される。一対の差込片７２は、底壁２１１の一対の差込孔２１１ｃと一対一に対応する。一対の差込片７２のそれぞれは、底壁２１１の下側から対応する差込孔２１１ｃに挿入されて、底壁２１１の上面に引っ掛かる。
【００４４】
係止片７３は、基底部７１の長手方向の左端に形成される。係止片７３は、平板状に形成される。係止片７３は、基底部７１の厚み方向（下向き）に突出する。
【００４５】
一対の側立部７４のそれぞれは、第１側片７４１と、第２側片７４２と、突張片７４３とを有する。
【００４６】
一対の第１側片７４１は、矩形の平板状に形成される。一対の第１側片７４１は、基底部７１の前後方向の両端において、基底部７１の左右方向に沿って連結される。一対の第１側片７４１のそれぞれは、下向きに延出する。
【００４７】
一対の第２側片７４２は、矩形の平板状に形成される。一対の第２側片７４２は、対応する第１側片７４１の先端に第１側片７４１の左右方向に沿って連結される。一対の第２側片７４２のそれぞれは、第１側片７４１から離れるにつれて、互いに離れる方向に延出する。
【００４８】
一対の突張片７４３は、矩形の平板状に形成される。一対の突張片７４３は、一対の第２側片７４２の先端に第２側片７４２の左右方向に沿って連結される。一対の突張片７４３の先端は、基底部７１の厚み方向（左右方向）に沿って係止片７３が突出する方向と反対の向き（上向き）に延出する。一対の突張片７４３のそれぞれの先端は、基底部７１よりも上側に突出している。
【００４９】
一対の案内部７５は、一対の側立部７４のそれぞれに設けられる。案内部７５は、矩形の開口である。案内部７５は、側立部７４の第１側片７４１及び第２側片７４２に亘って開口する。案内部７５は、規定方向（前後方向）に直交し、かつ経路の方向（左右方向）に交差する方向に沿って延び、下端が開放された空間である。
【００５０】
保持部７６は、第１側片７４１に設けられる経路の方向（左右方向）に長い長孔である。保持部７６は、左縁で案内部７５と連通する。保持部７６は、案内部７５から経路の方向に沿って延びる空間である。
【００５１】
基底部７１の３つのねじ挿通孔７１１のうち少なくとも１つのねじ挿通孔７１１に、底壁２１１のねじ挿通孔に挿通されたねじがねじ込められることで、受部７は、基台２１に取り付けられる。
【００５２】
案内部７５及び保持部７６には、取付部３の突出片３２１が挿入される。案内部７５は、突出片３２１が挿抜可能になるように形成される。保持部７６の縁部には、突出片３２１が保持される。
【００５３】
一対の受部７には、点灯ユニット１が器具本体２に対して第１位置と第２位置とを結ぶ経路で移動可能であるように一対の取付部３が取り付けられる（図９Ａ及び図９Ｂ参照）。つまり、点灯ユニット１は、器具本体２に対して、第１位置と第２位置とを結ぶ経路で移動可能に構成される。点灯ユニット１が器具本体２に対して第１位置の位置にある場合、突出片３２１は、案内部７５に挿通されている状態である。したがって、第１位置は、一対の取付部３（３ａ、３ｂ）が対応する一対の受部７（７ａ、７ｂ）に取り外し可能な位置である。また、点灯ユニット１が器具本体２に対して第２の位置にある場合、突出片３２１は、保持部７６に挿入されている状態である。したがって、第２位置は、一対の取付部３（３ａ、３ｂ）を対応する一対の受部７（７ａ、７ｂ）から取り外せない位置である。なお、第１位置と第２位置とを結ぶ経路の方向は図１における左右方向と一致する。さらに、第１位置から第２位置への方向は、右方向と一致する。また、第２位置から第１位置への方向は、左方向と一致する。
【００５４】
１．３  第１コネクタ・第２コネクタ
第１コネクタ４と、第２コネクタ８は、機械的かつ電気的に接続される。点灯回路５５２は、第１コネクタ４及び第２コネクタ８が互いに接続されることで、電源からの電力を受け取る。言い換えると、点灯回路５５２は、第２コネクタ８と接続された第１コネクタ４を介して受け取った電力で光源を点灯させる。
【００５５】
１．３．１  第１コネクタ
第１コネクタ４について、図６を参照して詳細に説明する。第１コネクタ４は、第１取付部３ａに、ねじ止めなどにより固定される。第１コネクタ４は、複数の第１導通部４１と（図６では３つ）、第１筐体４０とを備える。
【００５６】
３つの第１導通部４１のそれぞれは、金属などの導電性を有する材料で形成される。３つの第１導通部４１のそれぞれは、刃部（第１接続部）４１１と、電線接続部（第１電線接続部）４１２と、刃部４１１と第１電線接続部４１２とを電気的に接続する連結部４１３とを備える。
【００５７】
刃部４１１は、矩形の板状に形成される。
【００５８】
連結部４１３は、長尺な板状に形成される。連結部４１３は、長手方向（図６における左右方向）の一端（図６における左端）に刃部４１１に接続されている。より詳細には、刃部４１１は、連結部４１３の一端から厚み方向（上向き）に突出する。連結部４１３は、長手方向の他端（図６における右端）で第１電線接続部４１２に接続される。
【００５９】
第１電線接続部４１２は、第１板４１２ａと、第２板４１２ｂと、第３板４１２ｃと、第４板４１２ｄと、を有する。第１板４１２ａと第２板４１２ｂと第３板４１２ｃと第４板４１２ｄとは、曲げ加工によって一体に形成される。第１電線接続部４１２は、第１板４１２ａと第２板４１２ｂと第３板４１２ｃとで三角筒状を形成する。
【００６０】
第１板４１２ａは、矩形の板状に形成される。第１板４１２ａは、連結部４１３の右端に連結される。第１板４１２ａは、第１板４１２ａを厚み方向に貫通する長孔４１２ａｂを備える。第１板４１２ａは、連結部４１３から離れるにつれて、連結部４１３の上向きに延出する。長孔４１２ａｂは、第１板４１２ａの傾斜方向に沿って長い。
【００６１】
第２板４１２ｂは、矩形の板状に形成される。第２板４１２ｂは、第１板４１２ａの先端（右端）に連結される。第２板４１２ｂは、第１板４１２ａの先端から第１板４１２ａの厚み方向（下向き）に延出する。第２板４１２ｂは、第２板４１２ｂを厚み方向に貫通する一対の挿通孔４１２ｂａを備える。一対の挿通孔４１２ｂａのそれぞれは、円形に形成され、前後方向に並んでいる。
【００６２】
第３板４１２ｃは、矩形の板状に形成される。第３板４１２ｃは、第２板４１２ｂの先端（下端）に連結される。第３板４１２ｃは、第２板４１２ｂの先端から第２板４１２ｂの厚み方向（左向き）、つまり、連結部４１３側に延出する。第３板４１２ｃは、第２板４１２ｂから離れるにつれて、第１板４１２ａに近づくように形成される。
【００６３】
第４板４１２ｄは、矩形の板状に形成される。第４板４１２ｄは、第３板４１２ｃの先端（左端）に連結される。第４板４１２ｄは、第３板４１２ｃの厚み方向（第１板４１２ａから離れる向き）に延出する。言い換えると、第４板４１２ｄは、図７に示すように、第３板４１２ｃから離れるにつれて、第１板４１２ａから離れるように形成される。
【００６４】
第１電線接続部４１２は、長孔４１２ａｂが、第３板４１２ｃと第４板４１２ｄとの連結部分である連結部４１２ｅの一部を露出させるように形成される。
【００６５】
第１筐体４０は、基台４２とカバー４３とを備える。基台４２は、樹脂材料、例えば、ポリカーボネート樹脂によって形成される。基台４２は、図６及び図７に示すように、矩形板状の基部４２１と、基部４２１における左右方向の両端から上向きに突出する一対の側部４２２とを有する。基部４２１の上面には、３つの第１導通部４１を支持する一対の突出部４２３，４２４が形成される。一対の突出部４２３，４２４は、基部４２１における前後方向に亘って、一対の側部４２２が突出する向きと同じ向き（上向き）に突出する。突出部４２３は、基部４２１の上面の左側に形成される。突出部４２４は、基部４２１の突出部４２３よりも右側に形成される。突出部４２３，４２４は、左右方向において、平行に並んでいる。
【００６６】
カバー４３は、一面（下面）が開口する箱型に形成される。カバー４３は、上側から基台４２を覆う。これにより、基台４２とカバー４３とで構成される第１筐体４０の内部には、３つの第１導通部４１が収納される。
【００６７】
カバー４３は、上壁４３１と、一対の側壁４３２と、前壁４３３とを備える。より詳細には、一対の側壁４３２は、上壁４３１の左右方向の両端のそれぞれから下向きに突出する。前壁４３３は、上壁４３１の右端から下向きに突出する。第１筐体４０は、前壁４３３が、経路の方向（左右方向）おいて、点灯回路５５２側に位置するように配置される。前壁４３３には、前壁４３３を厚み方向に貫通する３つの挿通孔４３３ａが形成される。３つの挿通孔４３３ａのそれぞれは、２つの円の一部が連結する形状である。
【００６８】
カバー４３の上壁４３１には、左右方向に長尺な３つのスリット（開口）４３１ａａが形成される。３つのスリット４３１ａａは、前後方向に並んで形成される。３つのスリット４３１ａａのそれぞれは、刃部４１１が挿通されるように、刃部４１１の大きさよりも大きく形成される。
【００６９】
カバー４３は、さらに、上壁４３１から上向きに突出する４つの側壁部４３１ａｂを有する。４つの側壁部４３１ａｂは、板状に形成される。４つの側壁部４３１ａｂは、経路の方向（左右方向）と直交する所定方向（前後方向）に並んで配置される。図６に示すように、４つの側壁部４３１ａｂと３つのスリット４３１ａａは前後方向に交互に並んで配置される。各スリット４３１ａａは、４つの側壁部４３１ａｂのうち隣り合う側壁部４３１ａｂの間に位置する。これにより、３つの刃部４１１のそれぞれは、４つの側壁部４３１ａｂのうち隣り合う側壁部４３１ａｂの間に配置される。４つの側壁部４３１ａｂのそれぞれは、施工者の指などが刃部４１１に触れないように、スリット４３１ａａから露出する３つの第１刃部４１１よりも大きく形成される。
【００７０】
カバー４３の上壁４３１には、さらに、前壁４３３側に矩形の開口４３１ｄが形成される。カバー４３の上壁４３１には、開口４３１ｄを部分的に覆う３つの延出片４３１ｅが形成される。３つの延出片４３１ｅのそれぞれは、矩形の板状に形成され、開口４３１ｄの前壁４３３側の端部から延出する。３つの延出片４３１ｅの前後方向の両側には、所望の間隔が設けられている。これにより、３つの延出片４３１ｅのそれぞれは、下向きに押圧されると、上向きの弾性力を発揮する。３つの延出片４３１ｅのそれぞれの下面には、図７に示すように、矩形の突出片４３１ｆが形成される。
【００７１】
第１筐体４０は、前壁４３３の３つの挿通孔４３３ａのそれぞれが第２板４１２ｂの挿通孔４１２ｂａと対向するように、３つの第１導通部４１を収納する。
【００７２】
さらに、第１コネクタ４では、延出片４３１ｅが下向きに押圧されると、突出片４３１ｆが、連結部４１２ｅを基部４２１側（下向き）に押圧する。これにより、第１電線接続部４１２では、連結部４１２ｅを第１板４１２ａから遠ざけることができる。
【００７３】
１．３．２  第２コネクタ
第２コネクタ８について、図７及び図８を参照して詳細に説明する。第２コネクタ８は、一対の受部７の一方（第１受部７ａ）に取り付けられる（図１参照）。第２コネクタ８は、例えばねじ止めにより第１受部に取り付けられる。第２コネクタ８は、図８に示すように、複数の第２導通部８１と（図８では３つ）、第２筐体８０とを備える。
【００７４】
３つの第２導通部８１のそれぞれは、金属などの導電性を有する材料で形成される。第２導通部８１のそれぞれは、刃受部（第２接続部）８１１と、電線接続部（第２電線接続部）８１２と、刃受部８１１と第２電線接続部８１２とを電気的に接続する連結部８１３とを備える。
【００７５】
連結部８１３は、長尺な金属板によって形成される。連結部８１３は、図８における長手方向の一端（左端）で刃受部８１１に接続される。連結部８１３は、図８における長手方向の他端（右端）で第２電線接続部８１２に接続される。
【００７６】
３つの刃受部８１１は、３つの第１導通部４１の刃部４１１と一対一に対応する。刃受部８１１は、第２導通部８１において、刃部４１１に機械的かつ電気的に接続される部位である。３つの刃受部８１１のそれぞれは、底片８１１ａ、一対の側片８１１ｂと一対の挟持部８１１ｃとを備える。底片８１１ａは、板状に形成される。底片８１１ａは、連結部８１３の左端から左向きに延出する。また、一対の側片８１１ｂのそれぞれは、板状に形成される。一対の側片８１１ｂは、底片８１１ａにおける前後方向の両端から底片８１１ａの厚み方向（下向き）に突出する。一対の挟持部８１１ｃのそれぞれは、断面がＶ字の板状に形成される。一対の挟持部８１１ｃは、一対の側片８１１ｂと一対一に対応する。一対の挟持部８１１ｃのそれぞれは、一対の側片８１１ｂにおける前後方向の間に配置されるように、対応する側片８１１ｂの右端に連結される。一対の挟持部８１１ｃは、屈曲部分が互いに近づくように配置される。
【００７７】
第２電線接続部８１２は、第１板８１２ａと、第２板８１２ｂと、第３板８１２ｃと、第４板８１２ｄとを有する。第１板８１２ａと第２板８１２ｂと第３板８１２ｃと第４板８１２ｄとは、曲げ加工によって一体に形成される。第２電線接続部８１２は、第１板８１２ａ、第２板８１２ｂ、及び第３板８１２ｃとで三角筒状を形成する。
【００７８】
第１板８１２ａは、矩形の板状に形成される。第１板８１２ａは、連結部８１３の右端に連結される。第１板８１２ａは、第１板８１２ａを厚み方向に貫通する長孔８１２ａｂを備える。第１板８１２ａは、連結部８１３から離れるにつれて、連結部８１３の厚み方向（下向き）に延出する。長孔８１２ａｂは、第１板８１２ａの傾斜方向に沿って長い。
【００７９】
第２板８１２ｂは、矩形の板状に形成される。第２板８１２ｂは、第１板８１２ａの先端（右端）に連結される。第２板８１２ｂは、第１板８１２ａの先端から第１板８１２ａの厚み方向（上向き）に延出する。第２板８１２ｂは、第２板８１２ｂを厚み方向に貫通する一対の挿通孔８１２ｂａを備える。一対の挿通孔８１２ｂａのそれぞれは、円形に形成され、前後方向に並んで形成される。
【００８０】
第３板８１２ｃは、矩形の板状に形成される。第３板８１２ｃは、第２板８１２ｂの先端（上端）に連結される。第３板８１２ｃは、第２板８１２ｂの先端から第２板８１２ｂの厚み方向（左向き）、つまり連結部８１３側に延出する。第３板８１２ｃは、第２板８１２ｂから離れるにつれて、第１板８１２ａに近づくように形成される。
【００８１】
第４板８１２ｄは、矩形の板状に形成される。第４板８１２ｄは、第３板８１２ｃ先端（左端）に連結される。第４板８１２ｄは、第３板８１２ｃの厚み方向（第１板８１２ａから離れる向き）に延出する。言い換えると、第４板８１２ｄは、図７に示すように、第３板８１２ｃから離れるにつれて、第１板８１２ａから離れるように形成される。
【００８２】
第２電線接続部８１２は、長孔８１２ａｂが、第３板８１２ｃと第４板８１２ｄとの連結部分である連結部８１２ｅの一部を露出させるように形成される。
【００８３】
第２筐体８０は、基台８２と、カバー８３とを備える。基台８２は、樹脂材料、例えば、ポリカーボネート樹脂によって形成される。基台８２は、図７及び図８に示すように、矩形板状の基部８２１と、基部８２１における左右方向の両端から下向きに突出する一対の側部８２２とを有する。基部８２１の下面には、３つの第２導通部８１を支持する一対の突出部８２３，８２４が形成される。一対の突出部８２３，８２４は、基部８２１における前後方向に亘って、一対の側部８２２が突出する向きと同じ向き（下向き）に突出する。突出部８２３は、基部８２１の左側に形成される。突出部８２４は、基部８２１の突出部８２３よりも右側に形成される。突出部８２３，８２４は、左右方向において、平行に並んでいる。
【００８４】
カバー８３は、一面（上面）が開口する箱型に形成される。カバー８３は、下側から基台８２を覆う。これにより、基台８２とカバー８３とで構成される第２筐体８０の内部には、３つの第２導通部８１が収納される。
【００８５】
カバー８３は、底壁８３１と、一対の側壁８３２と、前壁８３３とを備える。より詳細には、一対の側壁８３２は、底壁８３１の前後方向の両端のそれぞれから上向きに突出する。前壁８３３は、底壁８３１の右端から上向きに突出する。第２筐体８０は、前壁８３３が、経路の方向（左右方向）において基台２１の挿通孔２１１ａ側に位置するように配置される。前壁８３３には、前壁８３３を厚み方向に貫通する３つの挿通孔８３３ａが形成される。３つの挿通孔８３３ａのそれぞれは、２つの円の一部が連結する形状である。
【００８６】
カバー８３の底壁８３１は、電気絶縁性を有する材料で形成される３つの保護部８３１ａをさらに備える。３つの保護部８３１ａは、前後方向において、互いの間に隙間を設けて、前後方向に並ぶように配置される。３つの保護部８３１ａのそれぞれは、前後方向の中央部に開口部８３１ａｂが形成される。開口部８３１ａｂは、保護部８３１ａの左面から下面に亘って形成される。これにより、開口部８３１ａｂは、第１位置から第２位置に向かう向き（右向き）に刃部４１１が挿通される。３つの開口部８３１ａｂのそれぞれは、点灯ユニット１が第１位置の位置から第２の位置に移動することで、対応する刃部４１１が保護部８３１ａの左側から挿入される。保護部８３１ａは、刃受部８１１を、刃受部８１１が開口部８３１ａｂから保護部８３１ａ内に挿入された刃部４１１と機械的かつ電気的に接続されるように、収納する。また、第１コネクタ４の複数の側壁部４３１ａｂのうちの内側の２つは、３つの保護部８３１ａのそれぞれの間の隙間に挿入される。
【００８７】
カバー８３の底壁８３１には、さらに、前壁８３３側に矩形の開口８３１ｂが形成される。カバー８３の底壁８３１には、開口８３１ｂを部分的に覆う３つの延出片８３１ｃが形成される。３つの延出片８３１ｃのそれぞれは、矩形の板状に形成され、開口８３１ｂの前壁８３３側の端部から延出する。３つの延出片８３１ｃのそれぞれは、上向きに押圧されると、下向きの弾性力を発揮する。３つの延出片８３１ｃのそれぞれの上面には、図７に示すように、矩形の突出片８３１ｄが形成される。
【００８８】
第２筐体８０には、３つの第２導通部８１が収納される。また、第２筐体８０は、前壁８３３の３つの挿通孔８３３ａのそれぞれが第２板８１２ｂの挿通孔８１２ｂａと対向するように、３つの第２導通部８１を収納する。
【００８９】
第２コネクタでは、延出片８３１ｃが上向きに押圧されると、突出片８３１ｄが、連結部８１２ｅを基部８２１側（上向き）に押圧する。これにより、第２電線接続部８１２は、連結部８１２ｅを第１板８１２ａと連結部８１２ｅから遠ざけることができる。
【００９０】
２．点灯ユニットの組立工程
点灯ユニット１の組立工程ついて説明する。図２に示すように、光源モジュール５１は、支持部材５２の主部５２１の下面に取り付けられる。点灯装置５５は、支持部材５２において、光源モジュール５１が取り付けられている面と反対の面である上面に取り付けられる。点灯装置５５は、ねじによって支持部材５２に固定される。このとき、点灯装置５５と光源モジュール５１とを第２電力ケーブルを介して電気的に接続する。次に、カバー５３は、２つの実装基板５１１を覆うように、支持部材５２に取り付けられる。より詳細には、カバー５３の長手方向（左右方向）の両端のそれぞれは、対応する光拡散部５４に保持される。また、支持部材５２の長手方向（左右方向）の両端のそれぞれは、対応する光拡散部５４に保持される。
【００９１】
一対の固定具５６は、一対の保持板５７と一対一に対応する。固定具５６の基底板５６１は、保持板５７の主片５７１と上下方向に重ねられる、より詳細には、ねじ挿通孔５６１ａとねじ挿通孔５７１ａとが連通するようにして、基底板５６１は、保持板５７に重ねられる。固定具５６及び保持板５７は、支持部材５２の長手方向（左右方向）の端部に固定される。
【００９２】
一対の保持板５７のそれぞれは、主片５７１と対応する固定具５６の立片５６３とが対向するように配置される。一対の保持板５７のそれぞれは、長孔５７２ｂが、固定具５６のねじ挿通孔５６３ａに連通するように配置される。また、一対の保持板５７のそれぞれは、ねじ挿通孔５７１ａと固定具５６のねじ挿通孔５６３ａとが連通するように配置される。一対の固定具５６及び一対の保持板５７は、外殻本体６１の取付板６１３の内側の面に配置され、ねじがねじ挿通孔５６１ａ及びねじ挿通孔５７１ａにねじ込められることで、外殻本体６１に固定される。
【００９３】
光源モジュール５１、カバー５３、点灯装置５５、固定具５６、及び保持板５７などが取り付けられた支持部材５２は、外殻本体６１の内部に収納される。このとき、取付部３は、外殻本体６１から外殻端部６２を外した状態で、外殻本体６１の長手方向（左右方向）の一端（例えば左端）から挿入されることが好ましい。
【００９４】
次に、第１コネクタ４と点灯装置５５とは第１電力ケーブルにより電気的に接続される。第１電力ケーブルの一端は、点灯装置５５の入力端子に接続される。第１電力ケーブルの他端は、第１コネクタ４に接続される。より詳細には、３つの電線のそれぞれの他端は、第１コネクタ４の第１筐体４０の対応する挿通孔４３３ａを通って第１筐体４０内に挿入される。そして、３つの電線の他端は、３つの第１電線接続部４１２に電気的にそれぞれ接続される。このとき、３つの電線の他端は、３つの第１電線接続部４１２の第２板４１２ｂの挿通孔４１２ｂａをそれぞれ介して、第１板４１２ａと第３板４１２ｃとの間に挿入される。さらに、３つの電線のそれぞれを押し込むことによって、３つの電線の他端が第１板４１２ａと連結部４１２ｅとの間にそれぞれ挟まれる。これによって、第１電力ケーブルが第１電線接続部４１２により保持される。言い換えると、３つの電線のそれぞれの他端は、対応する第１電線接続部４１２により保持される。
【００９５】
３．照明器具の施工工程
次に、照明器具１０の施工工程について説明する。なお、図９Ａは、点灯ユニット１が器具本体２に対して第１位置に位置していることを示す。言い換えると、図９Ａは、突出片３２１が案内部７５に位置している。さらに、図９Ａは、弾性体３４が係止片７３に対して押圧する状態を示す。また、図９Ｂは、点灯ユニット１が器具本体２に対して第２位置に位置していることを示す。言い換えると、図９Ｂは、突出片３２１が保持部７６に位置していることを示す、さらに、図９Ｂは、弾性体３４の抑止片３４３が係止片７３に当接している状態を示す。
【００９６】
施工者は、造営材に埋め込まれているボルトを基台２１のボルト挿通孔２１１ｂに挿通させる。器具本体２は、挿通孔２１１ａに挿通されたボルトをナットで締め付けることで造営材に固定される。施工者は、図７に示すように、一端が電源と電気的に接続される電源線を挿通孔２１１ａに挿通させる。次に、施工者は、電源線を第２コネクタ８に接続する。より詳細には、施工者は、電源線を構成する３つの電線の他端を、第２コネクタ８の第２筐体８０の、３つの挿通孔８３３ａに通す。そして、施工者は、３つの電線の他端を第２筐体８０内に挿入して、第２電線接続部８１２に電気的に接続する。このとき３つの電線の他端は、第２電線接続部８１２の挿通孔８１２ｂａを介して第１板８１２ａと第３板８１２ｃとの間にそれぞれ挿入される。さらに３つの電線の他端を押し込むことによって、３つの電線のそれぞれの他端が対応する第１板８１２ａと連結部８１２ｅとの間で挟まれる。これによって、電源線は、第２電線接続部８１２により保持される。言い換えると、電源線を構成する３つの電線のそれぞれの他端は、対応する第２電線接続部８１２により保持される。このようにして第２コネクタが電源線を介して電源に電気的に接続され、電源からの電力が電源線を介して第２コネクタ８に供給される。
【００９７】
次に、器具本体２に点灯ユニット１を取り付ける。施工者は、図９Ａに示すように、点灯ユニット１を器具本体２に対して移動させて、取付部３の突出片３２１を受部７の案内部７５に挿入する。これによって、点灯ユニット１が器具本体２に対して第１位置に位置する。施工者は、点灯ユニット１を器具本体２に対して第１位置（図９Ａの位置）から第２位置（図９Ｂの位置）まで移動させる。言い換えると、突出片３２１は、案内部７５に挿入されて、保持部７６に向かって（右向きに）スライド移動される。このようにして突出片３２１が保持部７６内に位置すると、突出片３２１は、保持部７６によって上下方向の移動が規制される。
【００９８】
また、第２取付部３ｂの弾性体３４は、図９Ａ及び図９Ｂに示すように、第１状態（図９Ａの状態）から第２状態（図９Ｂの状態）の間で弾性変形する。つまり、突出片３２１が案内部７５からに挿入された状態（点灯ユニット１が第１位置に位置している場合）において、ばね片３４２は、係止片７３の下端に、下向きに押圧されている。そして、突出片３２１が保持部７６内に位置している場合（点灯ユニット１が第２位置に位置している場合）において、抑止片３４３は、係止片７３に当接する。このようにして、点灯ユニット１の第２位置から第１位置への移動（図９Ｂにおける左方向への移動）が規制される。
【００９９】
点灯ユニット１が器具本体２に対して、第１位置から第２位置に移動すると、第１コネクタ４が第２コネクタ８に機械的かつ電気的に接続される。言い換えると、点灯ユニット１が第２位置の場合、第２導通部８１の刃受部８１１は、第２コネクタ８の保護部８３１ａの開口部８３１ａｂから挿通された第１導通部４１の刃部４１１と機械的かつ電気的に接続される。より詳細には、３つの刃部４１１のそれぞれが対応する刃受部８１１の一対の挟持部８１１ｃに挟まれる。図７に示すように、点灯ユニット１を第１位置から第２位置に移動させることで、第１コネクタ４が、第２コネクタ８に対して、左側から右向きにスライド移動する。これにより、第１コネクタ４の３つの刃部４１１のそれぞれが、第２コネクタ８のカバー８３の対応する開口部８３１ａｂを介して左側から対応する側片８１１ｂの間に挿入され、対応する挟持部８１１ｃに挟み込まれる。
【０１００】
このように、点灯ユニット１を器具本体２に対して第１位置から第２位置へ移動させることによって、突出片３２１が保持部７６に保持されて、点灯ユニット１は、器具本体２に取り付けられる。さらに、点灯ユニット１を器具本体２に対して第１位置から第２位置へ移動させることによって、第１コネクタ４が第２コネクタに接続されるから、電源からの電力を第１コネクタ４及び第２コネクタ８を介して点灯装置５５に供給することができる。そのため、点灯装置５５は、電源から受け取った電力により光源を点灯させることができる。また、点灯ユニット１を器具本体２に対して第１位置から第２位置させるだけで第１コネクタ４が第２コネクタに接続されるから、紐などを用いて、点灯ユニット１を器具本体２に仮止めする必要がない。そのため、施工時の作業効率を向上できる。
【０１０１】
４．光源ユニットの取り外し工程
照明器具１０の、器具本体２から点灯ユニット１を取り外す工程について説明する。点灯ユニット１が第２位置に位置している場合、弾性体３４は、図９Ｂに示すように、抑止片３４３が係止片７３に接触している第２状態（図９Ｂ参照）である。
【０１０２】
照明器具１０では、器具本体２から点灯ユニット１を取り外す場合、ドライバなどの長尺な冶具を、第２取付部３ｂの挿通孔３３１に挿入する。施工者は、第２取付部３ｂの挿通孔３３１に挿入した冶具でばね片３４２を下向きに押さえつける。これにより、第２取付部３ｂの抑止片３４３を、係止片７３を乗り越えて移動させることができる。この結果、施工者は、点灯ユニット１を、器具本体２に対して、左側にスライド移動させることができる。これにより、一対の取付部３の突出片３２１が保持部７６から案内部７５に移動する。つまり、施工者は、点灯ユニット１を第２位置から第１位置へ移動させることができる。このように、点灯ユニット１を器具本体２に対して左側にスライド移動させることで、第１コネクタ４が第２コネクタ８から取り外され、第１コネクタ４と第２コネクタ８との電気的接続が解除される。
【０１０３】
５．まとめ
以上述べた本実施形態の照明器具１０は、点灯ユニット１を器具本体２に対して第１位置から第２位置へ移動させることで、取付部３を受部７から取り外せなくなり、点灯ユニット１が器具本体２で保持される。さらに、第１コネクタ４が第２コネクタ８に電気的に接続され、これによって、電源から点灯装置５５への給電が可能になる。このように、本実施形態の照明器具１０によれば、施工時において、点灯ユニット１を器具本体２に取り付ける際に、点灯装置５５と電源との電気的接続を目的として点灯ユニット１を器具本体２に仮止めする必要がない。したがって、本実施形態の照明器具１０は、施工時の作業効率の向上を図ることができる。
【０１０４】
６．変形例
上記実施形態は、本発明の様々な実施形態の１つに過ぎない。また、上記実施形態は、本発明の目的で達成できれば、設計等に応じて種々の変更が可能である。以下に、上記実施形態の変形例を列挙する。
【０１０５】
変形例では、第１コネクタ４は、第１取付部３ａに取り付けられていなくてもよいし、第２コネクタ８は第１受部７ａに取り付けられていなくてもよい。つまり、第１コネクタ４及び第２コネクタ８位置は、上述の実施形態に限定されない。
【０１０６】
また、照明器具１０において、第１位置と第２位置の位置関係は、左右方向において反対の位置に位置してもよい。この場合、点灯ユニット１は、器具本体２に対して、右側から左向きにスライド移動する。また、この場合、受部７の構成及び第２コネクタ８の構成は、上述の実施形態と異なる。より詳細には、変形例の受部では、案内部と保持部の位置が左右方向に対して反対の位置に形成される。また、第１コネクタ４は、第２コネクタ８に対して右側から第１コネクタ４の刃部４１１が刃受部８１１に挿通されるように形成される。
【０１０７】
７．態様
以上述べた実施形態から明らかなように、本発明に係る第１態様の照明器具（１０）は、光源を点灯させる点灯ユニット（１）と、点灯ユニット（１）を保持する器具本体（２）と、を備える。点灯ユニット（１）は、取付部（３）と、第１接続部（刃部）（４１１）を有する第１コネクタ（４）と、第１コネクタ（４）に電気的に接続され第１コネクタ（４）を介して受け取った電力により光源を点灯させる点灯回路（５５２）と、を有する。器具本体（２）は、点灯ユニット（１）が器具本体（２）に対して第１位置と第２位置とを結ぶ経路で移動可能であるように取付部（３）が取り付けられる受部（７）とを有する。さらに、器具本体（２）は、第１接続部（４１１）に機械的かつ電気的に接続される第２接続部（刃受部）（８１１）を有し電源との電気的接続に用いられる第２コネクタ（８）を有する。第１位置は、取付部（３）を受部（７）から取り外し可能な位置であり、かつ、第１接続部（４１１）が第２接続部（８１１）に接続されていない位置である。第２位置は、取付部（３）を受部（７）から取り外せない位置であり、かつ、第１接続部（４１１）が第２接続部（８１１）と機械的かつ電気的に接続される位置である。第１態様によれば、施工時の作業効率が向上する。
【０１０８】
第２態様の照明器具（１０）は、第１態様との組み合わせにより実現され得る。第２態様では、取付部（３）は、経路の方向（左右方向）と直交する規定方向（前後方向）に突出する突出片（３２１）を備える。受部（７）は、規定方向（前後方向）に直交しかつ経路の方向に交差する方向に沿って延び、一端が開放された空間である案内部（７５）と、案内部（７５）から経路の方向（左右方向）に沿って延びる空間である保持部（７６）と、を備える。突出片（３２１）は、案内部（７５）と保持部（７６）との間で移動可能である。第１位置は、突出片（３２１）が案内部（７５）にある位置である。第２位置は、突出片（３２１）が保持部（７６）にある位置である。第２態様によれば、簡易な構成で、施工時の作業効率が向上できる。
【０１０９】
第３態様の照明器具（１０）は、第１態様又は第２態様との組み合わせにより実現され得る。第３態様では、第２コネクタ（８）は、受部（７ａ）に取り付けられる。第３態様によれば、より簡易な構成で、施工時の作業効率が向上できる。
【０１１０】
第４態様の照明器具（１０）は、第１態様又は第２態様とのくみあわせにより実現され得る。第４態様では、受部（７）は、取付部（３）に向かって突出する係止片（７３）を備える。取付部（３ｂ）は、弾性体（３４）を備える。弾性体（３４）は、係止片（７３）に向かって弾性力を付与する第１状態と、先端（抑止片）（３４３）が係止片（７３）に当接して点灯ユニット（１）の移動を規制する第２状態と、の間で弾性変形するように構成される。第１位置は、弾性体（３４）が第１状態になる位置である。第２位置は、弾性体（３４）が第２状態になる位置である。第４態様によれば、簡易な構造で、第２位置における点灯ユニット（１）の移動を規制することができる。
【０１１１】
第５態様の照明器具（１０）は、第１態様から第４態様の何れか一つとの組み合わせにより実現され得る。第５態様では、第１コネクタ（４）は、取付部（３ａ）に取り付けられる。第５態様によれば、より簡易な構成で、施工時の作業効率が向上できる。
【０１１２】
第６態様の照明器具（１０）は、第１態様から第５態様の何れか一つとの組み合わせにより実現され得る。第６態様では、第１コネクタ（４）は、複数の側壁部（４３１ａｂ）をさらに備え、複数の側壁部（４３１ａｂ）のそれぞれは、第１接続部（４１１）よりも大きく形成され、経路の方向と直交する所定方向に並んで配置される。第１接続部（４１１）は、所定方向において、複数の側壁部（４３１ａｂ）のうち隣り合う側壁部（４３１ａｂ）の間に配置される。第６態様によれば、施工者などが第１接続部（４１１）に接触する可能性を低減する。
【０１１３】
第７態様の照明器具（１０）は、第１態様から第６態様の何れか一つとの組み合わせにより実現され得る。第７態様では、第２コネクタ（８）は、電気絶縁性を有する保護部（８３１ａ）をさらに備える。保護部（８３１ａ）は、第１位置から第２位置に向かう向き（右向き）に開口し、第１接続部（４１１）が挿通される開口部（８３１ａｂ）を有する。保護部（８３１ａ）は、第２接続部（８１１）を、第２接続部（８１１）が開口部（８３１ａｂ）から保護部（８３１ａ）内に挿入された第１接続部（４１１）と機械的かつ電気的に接続されるように収納する。第７態様によれば、施工者などが第２接続部（８１１）に接触する可能性を低減する。
【０１１４】
第８態様の照明器具（１０）は、第７態様との組み合わせにより実現され得る。第８態様では、第２接続部（８１１）は、第２位置において、開口部（８３１ａｂ）から保護部（８３１ａ）内に挿入された第１接続部（４１１）と機械的かつ電気的に接続される。第８態様によれば、施工者などが第１接続部（４１１）及び第２接続部（８１１）に接触する可能性を低減する。
【０１１５】
第９態様の照明器具（１０）は、第７態様又は第８態様との組み合わせにより実現され得る。第９態様では、第２接続部（８１１）は、第２位置において、開口部（８３１ａｂ）から保護部（８３１ａ）内に挿入された第１接続部（４１１）を挟み込むように構成される。第９態様によれば、第１接続部（４１１）と第２接続部（８１１）とがより確実に機械的かつ電気的に接続することができる。
【０１１６】
第１０態様の照明器具（１０）は、第１態様から第９態様の何れか一つとの組み合わせにより実現され得る。第１０態様では、点灯回路（５５２）と第１コネクタ（４）とは、経路の方向に並ぶように構成される。第１コネクタ（４）は、第１接続部（４１１）と電気的に接続された第１電線接続部（４１２）と、第１接続部（４１１）及び第１電線接続部（４１２）を保持する第１筐体（４０）と、をさらに備える。第１電線接続部（４１２）は、経路の方向において第１筐体（４０）における点灯回路（５５２）側に位置する。第１接続部（４１１）は、経路の方向において第１筐体（４０）の点灯回路（５５２）とは反対側に位置する。第１０態様によれば、照明器具（１０）の配線を簡易にすることができる。
【０１１７】
第１１態様の照明器具（１０）は、第１態様から第１０態様の何れか一つとの組み合わせにより実現され得る。第１１態様では、器具本体（２）は、受部（７）及び第２コネクタ（８）を保持する基台（２１）をさらに備える。基台（２１）は、電源と接続用の電線を通す挿通孔（２１１ａ）を有する。挿通孔（２１１ａ）と第２コネクタ（８）とは、経路の方向に並ぶ。第２コネクタ（８）は、第２接続部（８１１）に電気的に接続された第２電線接続部（８１２）と、第２接続部（８１１）及び第２電線接続部（８１２）を保持する第２筐体（８０）とをさらに備える。第２電線接続部（８１２）は、経路の方向において第２筐体（８０）における挿通孔（２１１ａ）側に位置する。第２接続部（８１１）は、経路の方向において第２筐体（８０）の挿通孔（２１１ａ）とは反対側に位置する。第１１の態様によれば、照明器具（１０）の配線を簡易にすることができる。
【符号の説明】
【０１１８】
１  点灯ユニット
１０  照明器具
２  器具本体
２１  基台
２１１ａ  挿通孔
３  取付部
３２１  突出片
３４  弾性体
３４３  抑止片
４  第１コネクタ
４０  第１筐体
４１１  刃部（第１接続部）
４１２  第１電線接続部
４３１ａｂ  側壁部
７  受部
７３  係止片
７５  案内部
７６  保持部
８  第２コネクタ
８０  第２筐体
８１１  刃受部（第２接続部）
８１２  第２電線接続部
８３１ａ  保護部
８３１ａｂ  開口部
【図１】
2018116876.tif 000003
【図２】
2018116876.tif 000004
【図３】
2018116876.tif 000005
【図４】
2018116876.tif 000006
【図５】
2018116876.tif 000007
【図６】
2018116876.tif 000008
【図７】
2018116876.tif 000009
【図８】
2018116876.tif 000010
【図９】
2018116876.tif 000011